(57)【要約】      （修正有）【課題】セキュリティ機能の設定及び解除による煩雑さを回避する。【解決手段】携帯電話機１０１に登録された個人データの表示を制御するためのセキュリティ機能が有効に設定された場合、個人データが表示される際に、その個人データが当該個人データの一部のみを隠蔽して表示される。隠蔽表示された個人データへ発信する際、入力されたパスワードが予め設定されたパスワードと一致した場合、隠蔽された個人データの一部を表示することなく発信する。【選択図】図１
2007235844.tif 000002
【特許請求の範囲】
【請求項１】
個人データが登録され、前記個人データの表示を制御するためのセキュリティ機能を有する携帯電話機であって、
前記セキュリティ機能を有効に設定した場合、前記個人データを表示する際に前記個人データを該個人データの一部を隠蔽して表示する携帯電話機。
【請求項２】
請求項１に記載の携帯電話機において、
前記一部を隠蔽して表示された個人データへ発信する際、パスワードの入力を要求し、入力されたパスワードと予め設定されたパスワードとが一致した場合、前記隠蔽された個人データの一部を表示することなく発信することを特徴とする携帯電話機。
【請求項３】
請求項１または請求項２に記載の携帯電話機において、
前記個人データそれぞれ別個に前記セキュリティ機能を有効または無効に設定することを特徴とする携帯電話機。
【請求項４】
登録された個人データの表示を制御するためのセキュリティ機能を有する携帯電話機におけるセキュリティ設定方法であって、
前記セキュリティ機能を有効に設定した場合、前記個人データを表示する際に前記個人データを該個人データの一部を隠蔽して表示する処理を有するセキュリティ設定方法。
【請求項５】
請求項４に記載のセキュリティ設定方法において、
前記一部を隠蔽して表示された個人データへ発信する際、パスワードの入力を要求する処理と、
入力されたパスワードと予め設定されたパスワードとが一致した場合、前記隠蔽された個人データの一部を表示することなく発信する処理とを有することを特徴とするセキュリティ設定方法。
【請求項６】
請求項４または請求項５に記載のセキュリティ設定方法において、
前記個人データそれぞれ別個に前記セキュリティ機能を有効または無効に設定する処理を有することを特徴とするセキュリティ設定方法。
【請求項７】
登録された個人データの表示を制御するためのセキュリティ機能を有する携帯電話機を動作させるコンピュータに取り込まれたコンピュータプログラムであって、
前記セキュリティ機能を有効に設定した場合、前記個人データを表示する際に前記個人データを該個人データの一部を隠蔽して表示する手順を、前記コンピュータに実行させるためのコンピュータプログラム。
【請求項８】
請求項７に記載のコンピュータプログラムにおいて、
前記一部を隠蔽して表示された個人データへ発信する際、パスワードの入力を要求する手順と、
入力されたパスワードと予め設定されたパスワードとが一致した場合、前記隠蔽された個人データの一部を表示することなく発信する手順とを、前記コンピュータに実行させるためのコンピュータプログラム。
【請求項９】
請求項７または請求項８に記載のコンピュータプログラムにおいて、
前記個人データそれぞれ別個に前記セキュリティ機能を有効または無効に設定する手順を、前記コンピュータに実行させるためのコンピュータプログラム。
【発明の詳細な説明】
【技術分野】
【０００１】
本発明は、ディスプレイ等に表示される情報を制限する携帯電話機及びセキュリティ設定方法に関する。
【背景技術】
【０００２】
従来から、情報をディスプレイ等に表示することができる携帯電話機には、当該携帯電話機のアドレス帳等に登録されている個人データを他人によって勝手に閲覧されることを防ぐために、閲覧及び編集をロックするセキュリティ機能（ロック機能）が備えられている。この従来のロック機能は、携帯電話機に対してロック機能を有効にするパスワードを設定すると、その後、アドレス帳等を閲覧しようと操作しても、設定されたパスワードが再度入力されない限り、アドレス帳全体の閲覧が禁止されるようになっているものである。
【０００３】
そのため、このような従来の携帯電話機では、アドレス帳に登録されているユーザに対して電話やメールを発信するときは、パスワードを再度入力してアドレス帳全体のロックを解除し、閲覧可能となったアドレス帳からユーザを選択して、そこに登録されている電話番号やメールアドレスを選択して発信動作を行うことになる。
【０００４】
また、登録される個人データをいくつかのグループに分け、グループ単位で上記ロック機能を活用する方法が考えられている。
【特許文献１】特開２００１−２１７９２３号公報
【発明の開示】
【発明が解決しようとする課題】
【０００５】
しかしながら、従来の携帯電話機では、あるユーザの個人データがアドレス帳に登録されているか否かを確認するためだけでも、セキュリティ機能を解除しなくてはならない。アドレス帳の確認は比較的頻繁に行われる動作だが、そのためにその都度セキュリティ機能の設定と解除を行わなくてはならず面倒であるため、セキュリティ機能が活用されないことが多くなってしまう。その場合、セキュリティ機能が付加された携帯電話機であるにもかかわらず、携帯電話機の紛失時に登録された個人情報が流出する可能性が高くなってしまうという問題点がある。
【０００６】
また、特許文献１に記載された方法においては、登録された個人データをいくつかのグループに分けるに過ぎず、グループ内のあるユーザの個人データを閲覧するだけでも、当該グループに属する他のユーザの個人データについてのセキュリティ機能が解除されてしまう。そのため、閲覧後、再度セキュリティ機能を設定することを忘れた場合、そのユーザの個人データだけではなく、当該グループに属する他のユーザの個人データについても流出してしまう虞があるという問題点がある。
【０００７】
また、パスワードの入力によりセキュリティ機能が解除された場合、電話番号等の個人データがディスプレイ等に直に表示されるため、発信操作時に当該ディスプレイ等を覗かれて、情報が流出してしまうという問題点がある。
【０００８】
本発明は、上述したような従来の技術が有する問題点に鑑みてなされたものであって、セキュリティ機能の設定及び解除による煩雑さを回避することができる携帯電話機及びセキュリティ設定方法を提供することを目的とする。
【課題を解決するための手段】
【０００９】
上記目的を達成するために本発明は、
個人データが登録され、前記個人データの表示を制御するためのセキュリティ機能を有する携帯電話機であって、
前記セキュリティ機能を有効に設定した場合、前記個人データを表示する際に前記個人データを該個人データの一部を隠蔽して表示する。
【００１０】
また、前記一部を隠蔽して表示された個人データへ発信する際、パスワードの入力を要求し、入力されたパスワードと予め設定されたパスワードとが一致した場合、前記隠蔽された個人データの一部を表示することなく発信することを特徴とする。
【００１１】
また、前記個人データそれぞれに前記セキュリティ機能を有効または無効に設定することを特徴とする。
【００１２】
また、登録された個人データの表示を制御するためのセキュリティ機能を有する携帯電話機におけるセキュリティ設定方法であって、
前記セキュリティ機能を有効に設定した場合、前記個人データを表示する際に前記個人データを該個人データの一部を隠蔽して表示する処理を有する。
【００１３】
また、前記一部を隠蔽して表示された個人データへ発信する際、パスワードの入力を要求する処理と、
入力されたパスワードと予め設定されたパスワードとが一致した場合、前記隠蔽された個人データの一部を表示することなく発信する処理とを有することを特徴とする。
【００１４】
また、前記個人データそれぞれに前記セキュリティ機能を有効または無効に設定する処理を有することを特徴とする。
【００１５】
上記のように構成された本発明においては、携帯電話機に登録された個人データの表示を制御するためのセキュリティ機能が有効に設定された場合、個人データが表示される際に、その個人データが当該個人データの一部のみを隠蔽して表示される。
【００１６】
これにより、セキュリティ機能の解除操作を行うことなく、個人データが登録されているか否かを、確認することができる。また、その確認後、再度セキュリティ機能の設定を行う必要もない。
【発明の効果】
【００１７】
以上説明したように本発明においては、携帯電話機に登録された個人データの表示を制御するためのセキュリティ機能が有効に設定された場合、個人データを表示する際に、その個人データを当該個人データの一部のみを隠蔽して表示する構成としたため、セキュリティ機能の設定及び解除による煩雑さを回避することができる。
【発明を実施するための最良の形態】
【００１８】
以下に、本発明の実施の形態について図面を参照して説明する。
【００１９】
図１は、本発明の携帯電話機の外観の一例を示す図である。
【００２０】
本例は図１に示すように、携帯電話機１０１に、表示部１１５と、操作部１１６とが設けられている。表示部１１５は、アドレス帳等の情報を表示する。操作部１１６は、情報の入力や操作を行う。これらは、従来の携帯電話機にも設けられているものである。
【００２１】
図２は、図１に示した携帯電話機１０１の内部構成の一例を示す図である。
【００２２】
図１に示した携帯電話機１０１は図２に示すように、ＣＰＵ１１０と、通信部１１２と、通話部１１３と、記憶部１１４と、表示部１１５と、操作部１１６とから構成されている。
【００２３】
通信部１１２は、携帯無線ネットワークに接続して通話及び通信データの送受信を行う。通話部１１３は、マイクやレシーバ等で構成され、当該携帯電話を使用するユーザの音声の入出力を行う。記憶部１１４は、アドレス帳等の各種データやＣＰＵ１１０にて実行されるプログラムを格納する。表示部１１５は、ＬＣＤ（Liquid Crystal Display）等で構成され、アドレス帳等の情報を表示する。操作部１１６は、キーパッド等で構成され、情報の入力や操作を行う。ＣＰＵ１１０は、これらを制御し、また、アドレス帳等の情報の表示部１１５への表示の制御を行うセキュリティ機能を有する。
【００２４】
以下に、図１及び図２に示した携帯電話機１０１におけるセキュリティ設定方法について説明する。
【００２５】
まずは初期設定として、個人データを登録する必要がある。
【００２６】
最初に、図１及び図２に示した携帯電話機１０１への個人データの登録方法について説明する。
【００２７】
図３は、図１及び図２に示した携帯電話機１０１への個人データの登録方法を説明するためのフローチャートである。
【００２８】
まず、従来に携帯電話機と同様に、情報閲覧を制限するためのパスワードを携帯電話機１０１の操作部１１６を操作して入力すると、入力されたパスワードは、記憶部１１４に格納される（ステップＳ１）。
【００２９】
その後、ユーザによって操作部１１６が操作され、個人データの入力が行われる。
【００３０】
図４は、携帯電話機１０１に個人データを登録する際に表示される表示部１１５を示す図である。
【００３１】
図４に示した画面が表示部１１５に表示され、携帯電話機１０１を使用しているユーザが、項目に従って個人データを入力する。この個人データは、氏名とカナとグループ（ＧＲ）と電話場番号（Ｔｅｌ．）とメールアドレス（Ｅ−Ｍａｉｌ）とから構成される。また、この個人データには、ここに示した項目以外の項目があっても良い。そして、これらの個人データの表示部１１５への表示を制御するためのセキュリティ機能をオンにするか否かの入力項目が設けられており、個人データ登録の一環として、このセキュリティ機能をオンに設定するかオフに設定するかも、合わせて入力する。
【００３２】
すると、それら入力された個人データが記憶部１１４に格納される（ステップＳ２）。
【００３３】
図５は、記憶部１１４に格納された個人データの構成の一例を示す図である。
【００３４】
図５に示すように記憶部１１４には、氏名とカナとグループ（ＧＲ）と電話番号（Ｔｅｌ．）とメールアドレス（Ｅ−Ｍａｉｌ）とが各個人ごとに対応付けられて格納されており、それらについてセキュリティ機能がオンであるかオフであるかがセキュリティ情報として格納されている。
【００３５】
例えば、図５に示した例では、加藤一郎さんの電話番号「０９０−１１１１−２２２２」とメールアドレス「ｋａｔｏ＠ａｂｃ．ｎｅ．ｊｐ」とが会社のグループにグループ分けされて格納されており、その個人データについては、セキュリティ情報がオンとなって格納されている。また、佐々木二郎さんの電話番号「０３−１２３４−５６７８」とメールアドレス「ｊｉｒｏ．ｓ＠ｄｅｆ．ｎｅ．ｊｐ」とが友人のグループにグループ分けされて格納されており、その個人データについては、セキュリティ情報がオフとなって格納されている。また、田中三郎さんの電話番号「０４−１２３４−５６７８」とメールアドレス「ｔａｎａｋａ＠ｇｈ．ｎｅ．ｊｐ」とが家族のグループにグループ分けされて格納されており、その個人データについては、セキュリティ情報がオンとなって格納されている。また、日電太郎さんの電話番号「０９０−１２３４−５６７８」とメールアドレス「ｔａｒｏ＠ａｂｃ．ｎｅ．ｊｐ」とが会社のグループにグループ分けされて格納されており、その個人データについては、セキュリティ情報がオンとなって格納されている。また、野村五郎さんの電話番号「０３−１１１１−２２２２」とメールアドレス「ｎｏｍｕ＠ｊｋ．ｎｅ．ｊｐ」とが友人のグループにグループ分けされて格納されており、その個人データについては、セキュリティ情報がオフとなって格納されている。
【００３６】
図５に示した例では、各個人単位でセキュリティ情報が格納されているが、情報単位で設定されても良い。例えば、加藤一郎さんの個人データのセキュリティ機能が動作する対象は、加藤一郎さんのメールアドレスのみであったり、日電太郎さんの個人データについてのセキュリティ機能が動作する対象は、電話番号のみであったりしても良い。その場合、どの情報についてセキュリティ機能を動作させるかが個人データにそれぞれ対応付けられて格納される。
【００３７】
次に、上述した初期設定が完了した携帯電話機１０１におけるセキュリティ設定方法について説明する。
【００３８】
図６は、初期設定が完了した携帯電話機１０１におけるセキュリティ設定方法を説明するためのフローチャートである。
【００３９】
まず、携帯電話機１０１を使用するユーザが操作部１１６を操作して、アドレス帳データの表示を実行すると、記憶部１１４に予め登録されたユーザの一覧が表示部１１５に表示される（ステップＳ１１）。
【００４０】
図７は、記憶部１１４に予め登録されたユーザの一覧が表示された表示部１１５を示す図である。
【００４１】
図７に示すように、表示部１１５には、初期設定時に記憶部１１４に予め登録されたユーザの一覧が表示される。ここでは、記憶部１１４に個人データが格納されたユーザの氏名が表示されているが、ユーザを識別できる情報であれば他のものであっても良い。なお、従来の携帯電話機では、パスワード入力をしてセキュリティ機能（ロック機能）を解除しないと、当該画面は表示されない。
【００４２】
表示部１１５に表示されたユーザ一覧のうち、携帯電話機１０１を操作しているユーザが電話またはメールを発信しようとしている相手のユーザを、携帯電話機１０１を操作しているユーザが操作部１１６を操作して選択すると（ステップＳ１２）、選択されたユーザの個人データについてセキュリティ機能がオンかオフかが判断される（ステップＳ１３）。具体的には、記憶部１１４に格納されている個人データが表示されて選択された情報（本例では氏名）を検索キーとして検索され、検索された個人データに対応付けられて格納されているセキュリティ情報が読み出されて判断される。
【００４３】
セキュリティ機能オフであると判断された場合、予め登録された個人データがそのまま表示部１１５に表示される（ステップＳ１４）。その後、例えば、操作部１１６を操作して表示された電話番号にカーソルを合わせて選択すると（ステップＳ１５）、発信動作に移行し、選択された電話番号に対する発信処理が行われる（ステップＳ１６）。
【００４４】
図８は、ステップＳ１３にてセキュリティ機能がオフであると判断された場合、予め登録された個人データがそのまま表示された表示部１１５を示す図である。
【００４５】
図８に示すように、予め登録された個人データがそのまま表示部１１５に表示される。
【００４６】
一方、ステップＳ１３にて、セキュリティ機能がオンであると判断された場合は、個人データの一部が隠蔽された状態で表示される（ステップＳ１７）。
【００４７】
図９は、ステップＳ１３にてセキュリティ機能がオンであると判断された場合、個人データの一部が隠蔽された表示部１１５を示す図である。
【００４８】
図９に示す例では、電話番号の下８桁が隠蔽されている。電話番号の先頭３桁のみを表示することにより、個人データとして電話番号自体が登録されていることが判別できるようにしている。これに限らず、メールアドレスを隠蔽したり、氏名以外の情報を隠蔽したりしても良い。その設定は、初期設定時にユーザによって適宜設定できるようにしても良い。
【００４９】
図９に示した画面が表示部１１５に表示された後、隠蔽された情報である電話番号を操作部１１６を操作することにより選択して発信キーを押すと、パスワードが要求される（ステップＳ１８）。
【００５０】
図１０は、隠蔽された電話番号を選択して発信キーを押した際にパスワード要求が表示された表示部１１５を示す図である。
【００５１】
図１０に示すように、隠蔽された情報である電話番号を選択して発信キーを押すと、設定されているセキュリティ機能を解除するためのパスワードが要求される。
【００５２】
ここで、携帯電話機１０１を操作するユーザが操作部１１６を操作してパスワードを入力すると、入力されたパスワードと初期設定のステップＳ１にて設定されたパスワードとが比較される（ステップＳ１９）。入力されたパスワードと初期設定のステップＳ１にて設定されたパスワードとが一致した場合、ステップＳ１６に進み、発信が実行される。また、入力されたパスワードと初期設定のステップＳ１にて設定されたパスワードとが一致しない場合は、例えば待ち受け画面に戻るなどして、アドレス帳表示が終了する。
【００５３】
また、ステップＳ１９にて入力されたパスワードと初期設定のステップＳ１にて設定されたパスワードとが一致した場合、表示部１１５に表示された情報のうち隠蔽された情報が表示されるものではなく、隠蔽された情報が表示部１１５に表示されることなく、発信動作が実行される。
【００５４】
以上により、セキュリティ機能を有効にした場合でも、個人データの一部を表示することにより、セキュリティ機能を解除することなくアドレス帳のデータ登録状況を確認することができる。また、パスワード入力によりセキュリティ機能が解除されても、表示部１１５に隠蔽された情報を表示することなく発信動作に移行するため、例えば街中において通話発信を行う際に、他人に覗き見られて電話番号が知られることを防ぐことができる。また、個人データごと別個にセキュリティ機能が設定できるため、セキュリティ機能の設定及び解除動作が、同一携帯電話機に登録された他の個人データに何らかの影響を与えることはない。
【００５５】
なお、以上は電話の発信について述べたが、メールの発信についても同様である。例えば、セキュリティ機能が解除された後、メールアドレスを表示部１１５に表示させないことにより、メール作成中や送信する際に、当該メールアドレスを他人に覗き見られて知られることを防ぐことができる。
【００５６】
なお、本発明においては、携帯電話機１０１における処理は上述の専用のハードウェアにより実現されるもの以外に、その機能を実現するためのプログラムを携帯電話機１０１のＣＰＵ１１０にて読取可能な記憶部１１４等の記録媒体に記録し、この記録媒体に記録されたプログラムをＣＰＵ１１０に読み込ませ、実行するものであっても良い。
【図面の簡単な説明】
【００５７】
【図１】本発明の携帯電話機の外観の一例を示す図である。
【図２】図１に示した携帯電話機の内部構成の一例を示す図である。
【図３】図１及び図２に示した携帯電話機への個人データの登録方法を説明するためのフローチャートである。
【図４】携帯電話機に個人データを登録する際に表示される表示部を示す図である。
【図５】記憶部に格納された個人データの構成の一例を示す図である。
【図６】初期設定が完了した携帯電話機におけるセキュリティ設定方法を説明するためのフローチャートである。
【図７】記憶部に予め登録されたユーザの一覧が表示された表示部を示す図である。
【図８】セキュリティ機能がオフであると判断された場合、予め登録された個人データがそのまま表示された表示部を示す図である。
【図９】セキュリティ機能がオンであると判断された場合、個人データの一部が隠蔽された表示部を示す図である。
【図１０】隠蔽された電話番号を選択して発信キーを押した際にパスワード要求が表示された表示部を示す図である。
【符号の説明】
【００５８】
１０１    携帯電話機
１１０    ＣＰＵ
１１２    通信部
１１３    通話部
１１４    記憶部
１１５    表示部
１１６    操作部
【図１】
2007235844.tif 000003
【図２】
2007235844.tif 000004
【図３】
2007235844.tif 000005
【図４】
2007235844.tif 000006
【図５】
2007235844.tif 000007
【図６】
2007235844.tif 000008
【図７】
2007235844.tif 000009
【図８】
2007235844.tif 000010
【図９】
2007235844.tif 000011
【図１０】
2007235844.tif 000012